(57)【要約】【課題】凝縮器用フィルターに付着した塵埃を清掃ブラシにより除去した場合、その清掃ブラシに付着した塵埃を手間をかけず簡単かつ迅速に除去する。【解決手段】凝縮器用フィルター１１の少なくとも左右方向の一端側に固定して設けられ、塵埃を捕捉してスライドする清掃ブラシ１２のブラシ毛１２ｂに食い込む向きに突出する複数の爪１６を有する固定リムーバ１３と、清掃ブラシ１２のスライド方向と直交する前後方向で固定リムーバ１３と重なって接触する位置に配置されるとともに清掃ブラシ１２のスライド方向に沿って回動可能に設けられ、清掃ブラシ１２がスライドする場合に清掃ブラシ１２に押されて固定リムーバ１３から離れる方向に回動し、清掃ブラシ１２が所定位置以上にスライドして清掃ブラシ１２により押される力が無くなった場合に固定リムーバ１３と重なる位置に回動する可動リムーバ１４と、を有する。【選択図】図３
2020067208.tif 000002
【特許請求の範囲】
【請求項１】
内部に商品陳列室を有するショーケース本体と、
前記ショーケース本体の下部に配置され、冷凍機ユニットの一部である少なくとも凝縮器とファンとを収容する機械室と、
前記機械室の正面側に設けられ、前記機械室の内外を連通する複数の通気孔を有する機械室カバーと、
前記凝縮器と前記機械室カバーとの間に配置され、前記通気孔から前記機械室内に流入する空気中の塵埃を除去する凝縮器用フィルターと、
前記機械室カバーと前記凝縮器用フィルターとの間に左右方向スライド可能に配置され、スライド時に撓んだ状態で前記凝縮器用フィルターに当たる複数のブラシ毛を有してこれらのブラシ毛により前記凝縮器用フィルターに付着した塵埃を捕捉する清掃ブラシと、
前記凝縮器用フィルターの少なくとも左右方向の一端側に固定して設けられ、塵埃を捕捉してスライドする前記清掃ブラシの前記ブラシ毛に食い込む向きに突出する複数の爪を有する固定リムーバと、
前記清掃ブラシのスライド方向と直交する前後方向で前記固定リムーバと重なって接触する位置に配置されるとともに前記清掃ブラシのスライド方向に沿って回動可能に設けられ、前記清掃ブラシがスライドする場合に前記清掃ブラシに押されて前記固定リムーバから離れる方向に回動し、前記清掃ブラシが所定位置以上にスライドして前記清掃ブラシにより押される力が無くなった場合に前記固定リムーバと重なる位置に回動する可動リムーバと、
を有することを特徴とする冷凍機内蔵型ショーケース。
【請求項２】
前記固定リムーバの前記爪は、前記凝縮器用フィルターから離反する方向に傾斜していることを特徴とする請求項１記載の冷凍機内蔵型ショーケース。
【請求項３】
前記固定リムーバの前記爪と重なる前記可動リムーバの端部は、前記爪の傾斜角度と同じ角度に傾斜していることを特徴とする請求項２記載の冷凍機内蔵型ショーケース。
【発明の詳細な説明】
【技術分野】
【０００１】
本発明は、冷凍機ユニットの一部である少なくとも凝縮器とファンとを収容する機械室を備えた冷凍機内蔵型ショーケースに関する。
【背景技術】
【０００２】
従来、スーパーマーケットやコンビニエンスストア等の店舗内に設置されている冷蔵、冷凍ショーケースとしては、商品陳列室を有するショーケース本体とその下部に配置される機械室とを有し、機械室内に冷凍機ユニットの一部である少なくとも凝縮器とファンとを収容した冷凍機内蔵型ショーケースが知られている。このような冷凍機内蔵型ショーケースにおいては、ファンを駆動して店舗内の空気を機械室内に吸い込み、吸い込んだ空気を凝縮器に当てることにより凝縮器内での冷媒の凝縮を促進している。
【０００３】
機械室内に空気を吸い込む場合、空気中に含まれている塵埃が機械室内に入り込んで凝縮器に付着することを防止するため、空気中に含まれている塵埃を凝縮器用フィルターにより除去している。そして、凝縮器用フィルターに付着した塵埃は、例えば、下記特許文献１に記載されたように、可動式の清掃ブラシで除去している。
【先行技術文献】
【特許文献】
【０００４】
【特許文献１】特開２０１６−１８７５１５号公報
【発明の概要】
【発明が解決しようとする課題】
【０００５】
しかしながら、特許文献１に記載されたタイプの冷凍機内蔵型ショーケースでは、清掃ブラシに多量の塵埃が付着すると、清掃ブラシにより凝縮器用フィルターを清掃する能力が低下するので、清掃ブラシを定期的に清掃する必要があり、その清掃作業は煩雑で手間がかかっている。
【０００６】
本発明は、このような課題を解決するためになされたものであり、その目的は、凝縮器用フィルターに付着した塵埃を清掃ブラシにより除去した場合、その清掃ブラシに付着した塵埃を手間をかけず簡単かつ迅速に除去することができる冷凍機内蔵型ショーケースを提供することである。
【課題を解決するための手段】
【０００７】
本発明に係る冷凍機内蔵型ショーケースは、内部に商品陳列室を有するショーケース本体と、前記ショーケース本体の下部に配置され、冷凍機ユニットの一部である少なくとも凝縮器とファンとを収容する機械室と、前記機械室の正面側に設けられ、前記機械室の内外を連通する複数の通気孔を有する機械室カバーと、前記凝縮器と前記機械室カバーとの間に配置され、前記通気孔から前記機械室内に流入する空気中の塵埃を除去する凝縮器用フィルターと、前記機械室カバーと前記凝縮器用フィルターとの間に左右方向スライド可能に配置され、スライド時に撓んだ状態で前記凝縮器用フィルターに当たる複数のブラシ毛を有してこれらのブラシ毛により前記凝縮器用フィルターに付着した塵埃を捕捉する清掃ブラシと、前記凝縮器用フィルターの少なくとも左右方向の一端側に固定して設けられ、塵埃を捕捉してスライドする前記清掃ブラシの前記ブラシ毛に食い込む向きに突出する複数の爪を有する固定リムーバと、前記清掃ブラシのスライド方向と直交する前後方向で前記固定リムーバと重なって接触する位置に配置されるとともに前記清掃ブラシのスライド方向に沿って回動可能に設けられ、前記清掃ブラシがスライドする場合に前記清掃ブラシに押されて前記固定リムーバから離れる方向に回動し、前記清掃ブラシが所定位置以上にスライドして前記清掃ブラシにより押される力が無くなった場合に前記固定リムーバと重なる位置に回動する可動リムーバと、を有する。
【０００８】
また、前記固定リムーバの前記爪は、前記凝縮器用フィルターから離反する方向に傾斜し、前記ブラシ毛に食い込む向きに突出していることが望ましい。
【０００９】
また、前記可動リムーバの前記清掃ブラシに対向する側の端部は、前記爪の傾斜角度と同じ角度に傾斜していることが望ましい。
【発明の効果】
【００１０】
本発明に係る冷凍機内蔵型ショーケースでは、機械室カバーの通気孔から機械室内に空気が流入し、その空気中の塵埃が凝縮器用フィルターに付着して除去される。凝縮器フィルターに付着した塵埃は、清掃ブラシを左右方向へスライドさせることにより、清掃ブラシのブラシ毛に捕捉される。ここで、凝縮器用フィルターの一端側には、スライドする清掃ブラシのブラシ毛に食い込む方向に突出する複数の爪を有する固定リムーバが固定して設けられているので、清掃ブラシがスライドして固定リムーバの爪がブラシ毛に食い込むことにより、清掃ブラシに捕捉されている塵埃は固定リムーバの爪により清掃ブラシから除去され、除去された塵埃は固定リムーバの爪に付着する。さらに、清掃ブラシがスライドした場合に清掃ブラシに押された可動リムーバが固定リムーバから離れる方向に回動し、清掃ブラシが所定位置以上にスライドして清掃ブラシにより押される力が無くなると、可動リムーバが固定リムーバと重なって接触する位置に回動する。そして、この回動時に、固定リムーバの爪に付着している塵埃が可動リムーバによって固定リムーバから掻き落とされる。
【００１１】
また、固定リムーバの爪が凝縮器用フィルターから離反する方向に傾斜していることにより、爪が清掃ブラシのブラシ毛に食い込み易くなり、清掃ブラシから塵埃を除去する性能が向上する。
【００１２】
また、前記固定リムーバの前記爪と重なる前記可動リムーバの端部は、前記爪の傾斜角度と同じ角度に傾斜していることにより、爪と可動リムーバの端部との接触面積が広くなり、固定リムーバから塵埃を掻き落とす性能が向上する。
【図面の簡単な説明】
【００１３】
【図１】冷凍機内蔵型ショーケースを示す正面図である。
【図２】冷凍機内蔵型ショーケースを示す断面側面図である。
【図３】冷凍機内蔵型ショーケースの一部を示す断面平面図である。
【図４】固定リムーバを示す正面図である。
【図５】可動リムーバを示す正面図である。
【図６】固定リムーバと可動リムーバとが前後方向で重なって位置する状態を示す正面図である。
【図７】清掃ブラシに押された可動リムーバが固定リムーバから離れる方向に回動した状態を示す正面図である。
【発明を実施するための形態】
【００１４】
本発明の一実施形態について、図面に基づいて説明する。図１はスーパーマーケットやコンビニエンスストア等の店舗内に設置される冷凍機内蔵型ショーケース１を示す正面図であり、図２はその断面側面図である。この冷凍機内蔵型ショーケース１は、ショーケース本体２と機械室３とを有し、機械室３の上にショーケース本体２が載置されている。
【００１５】
ショーケース本体２の内部には図２に示すように商品陳列室４が設けられ、商品陳列室４内には冷凍商品や冷蔵商品が陳列されるようになっている。
【００１６】
機械室３の内部には、図２に示すように、冷凍機ユニットを構成する凝縮器５と、ファン６と、圧縮機７とが収容されている。圧縮機７内では冷媒が圧縮され、凝縮器５内では冷媒が凝縮され、ファン６が駆動されることにより店舗内の空気が機械室３内に吸い込まれる。機械室３の正面には機械室カバー８が配置され、機械室カバー８には、ファン６の駆動時に店舗内の空気を機械室３内に吸込むための複数の通気孔９と、横長のスリット１０とが形成されている。なお、通気孔９は、店舗内の床面上の塵埃を吸込み難くするため、床面から離れた位置に形成されている。
【００１７】
機械室３の内部であって凝縮器５と機械室カバー８との間には、凝縮器用フィルター１１が配置されている。凝縮器用フィルター１１は、通気孔９から機械室３内に吸い込まれた空気中に含まれている塵埃を除去するための部材であり、平板状の金属板に複数の丸形のパンチング孔を形成することにより構成され、空気がパンチング孔を通過する際にその空気中に含まれている塵埃がパンチング孔に引っ掛かるようになっている。
【００１８】
また、機械室３の内部であって機械室カバー８と凝縮器用フィルター１１との間には、清掃ブラシ１２が配置されている。この清掃ブラシ１２は、ブラシ本体１２ａとこのブラシ本体１２ａに植毛された多数のブラシ毛１２ｂとを有し、ブラシ毛１２ｂの先端を凝縮器用フィルター１２に接触させた状態で左右方向スライド可能に設けられている。そして、ブラシ毛１２ｂを凝縮器用フィルター１１に接触させた状態で清掃ブラシ１２がスライドすることにより、凝縮器用フィルター１１に付着している塵埃がブラシ毛１２ｂに捕捉されるようになっている。
【００１９】
なお、清掃ブラシ１２は、凝縮器用フィルター１１に設けられたガイドレール（図示せず）に嵌合され、左右方向にスライド可能とされている。また、ブラシ本体１２ａには、清掃ブラシ１２を左右方向にスライドさせる場合に杷持する取手部１２ｃが設けられており、この取手部１２ｃは機械室カバー８に形成されたスリット１０を挿通し先端部が機械室カバー８の正面側に突出している。
【００２０】
図３に示すように、凝縮器用フィルター１１と清掃ブラシ１２との間であって、凝縮器用フィルター１１の一端側には、固定リムーバ１３と可動リムーバ１４とが配置されている。
【００２１】
図４は、固定リムーバ１３を示す正面図である。固定リムーバ１３の上端と下端とには取付孔１５が形成され、これらの取付孔１５に取付ネジ（図示せず）を挿入することにより固定リムーバ１３は凝縮器用フィルター１１に固定されている。固定リムーバ１３の一端側には、上下方向に沿って複数の爪１６が形成されている。これらの爪１６は、清掃ブラシ１２がスライドした場合に、ブラシ毛１２ｂに食い込む向きに形成されている。また、これらの爪１６は、凝縮器用フィルター１１から離反する向きに所定角度（例えば、１０〜２０°）傾斜している。
【００２２】
図５は、可動リムーバ１４を示す正面図である。可動リムーバ１４の上端には取付孔１７が形成され、この取付孔１７に取付軸（図示せず）を挿入することにより可動リムーバ１４が凝縮器用フィルター１１に取付けられている。そして、可動リムーバ１４は。清掃ブラシ１２のスライド方向に沿って取付軸の周りに回動可能とされている。
【００２３】
図６は、固定リムーバ１３と可動リムーバ１４とが重なって位置する状態を示す正面図である。清掃ブラシ１２が固定リムーバ１３及び可動リムーバ１４から離れて位置する場合、固定リムーバ１３と可動リムーバ１４とは、図６に示すように、清掃ブラシ１２のスライド方向と直交する方向である前後方向に重なって位置している。固定リムーバ１３と可動リムーバ１４とが図６に示すように重なって位置する場合、可動リムーバ１４における固定リムーバ１３の爪１６と重なる端部１８は、爪１６の傾斜角度と同じ角度に傾斜している。
【００２４】
図７は、可動リムーバ１４が固定リムーバ１３から離れる方向に回動した状態を示す正面図である。清掃ブラシ１２が図３において仮想線で示した位置から矢印Ａ方向にスライドしてブラシ毛１２ｂが可動リムーバ１４に当たると、可動リムーバ１４は清掃ブラシ１２に押されて矢印Ｂ方向に回動し、固定リムーバ１３から離れる。そして、清掃ブラシ１２が引き続き矢印Ａ方向にスライドして所定位置以上にスライドすると、清掃ブラシ１２から可動リムーバ１４に作用していた押す力が無くなり、可動リムーバ１４は矢印ｂ方向に回動し、図６に示すように固定リムーバ１３と重なる。
【００２５】
このような構成において、この冷凍機内蔵型ショーケース１では、ファン６が駆動されることにより店舗内の空気が機械室カバー８の通気孔９を通して機械室３内に吸い込まれ、機械室３内に吸い込まれた空気は凝縮器用フィルター１１を通過することによりその空気中に含まれている塵埃が凝縮器用フィルター１１により除去され、塵埃を除去された空気が凝縮器５に当たることにより凝縮器５の外周への塵埃の付着が防止され、凝縮器５の凝縮性能が維持される。
【００２６】
凝縮器用フィルター１１に付着した塵埃の量が増えると、空気が凝縮器用フィルター１１を通過し難くなり、凝縮器５に当たる空気量が減少して凝縮器５の凝縮性能が低下する。そこで、凝縮器用フィルター１１に一定量の塵埃が付着した場合には、付着した塵埃を凝縮器用フィルター１１から除去する清掃作業を行う必要がある。
【００２７】
凝縮器用フィルター１１の清掃作業時には、取手部１２ｃを把持して清掃ブラシ１２をスリット１０に沿って左右方向にスライドさせる。清掃ブラシ１２をスライドさせると、清掃ブラシ１２はブラシ毛１２ｂが撓んだ状態で凝縮器用フィルター１１の表面に当たり、凝縮器用フィルター１１に付着している塵埃が清掃ブラシ１２により捕捉される。
【００２８】
塵埃を捕捉した清掃ブラシ１２を図３において仮想線で示す位置に移動させた後、清掃ブラシ１２を逆向き（矢印Ａ方向）にスライドさせる。清掃ブラシ１２が図３において仮想線で示す位置から矢印Ａ方向にスライドすると、固定リムーバ１３の爪１６が清掃ブラシ１２のブラシ毛１２ｂに食い込み、清掃ブラシ１２に捕捉されている塵埃が清掃ブラシ１２から除去され、除去された塵埃は爪１６に付着する。ここで、固定リムーバ１３の爪１６が凝縮器用フィルター１１から離反する方向に傾斜していることにより、爪１６がブラシ毛１２ｂに食い込み易くなり、爪１６により清掃ブラシ１２から塵埃を除去する性能が向上する。
【００２９】
また、清掃ブラシ１２が図３において仮想線で示す位置から矢印Ａ方向にスライドするとき、清掃ブラシ１２のブラシ毛１２ｂが可動リムーバ１４に当たり、可動リムーバ１４は清掃ブラシ１２により矢印Ａ方向に押される。可動リムーバ１４が矢印Ａ方向に押されると、可動リムーバ１４は取付孔１７に挿入されている取付軸の周りに図７に示すように矢印Ｂ方向に回動し、固定リムーバ１３から離れる。
【００３０】
清掃ブラシ１２が引き続き矢印Ａ方向にスライドして所定位置以上にスライドすると、清掃ブラシ１２から可動リムーバ１４に作用していた押す力が無くなり、可動リムーバ１４は矢印ｂ方向に回動し、図６に示すように固定リムーバ１３と重なる。
【００３１】
可動リムーバ1４が矢印ｂ方向に回動したとき、固定リムーバ１３の爪１６に付着している塵埃が可動リムーバ１４の端部１８により掻き落とされ、床面上に落下する。また、可動リムーバ１４が矢印ｂ方向に回動して固定リムーバ１３と重なった場合、固定リムーバ１３の爪１６と重なる可動リムーバ１４の端部１８は、爪１６の傾斜角度と同じ角度に傾斜しているので、爪１６と可動リムーバ１４の端部１８との接触面積が広くなり、可動リムーバ１４により固定リムーバ１３から塵埃を掻き落とす性能が向上する。
【００３２】
なお、本実施の形態では、清掃ブラシ１２のスライド動作を手動で行う場合を例に挙げて説明したが、モータを用いて電動式で行うようにしてもよい。
【符号の説明】
【００３３】
１      冷凍機内蔵型ショーケース
２      ショーケース本体
３      架台
４      商品陳列室
５      凝縮器
６      ファン
７      圧縮機
８      機械室カバー
９      通気孔
１０      スリット
１１      凝縮器用フィルター
１２      清掃ブラシ
１２ａ    ブラシ本体
１２ｂ    ブラシ毛
１２ｃ    取手部
１３      固定リムーバ
１４      可動リムーバ
１５      取付孔
１６      爪
１７      取付孔
１８      端部
【図１】
2020067208.tif 000003
【図２】
2020067208.tif 000004
【図３】
2020067208.tif 000005
【図４】
2020067208.tif 000006
【図５】
2020067208.tif 000007
【図６】
2020067208.tif 000008
【図７】
2020067208.tif 000009